(57)【要約】  施錠装置は、キャビティ（１２）を備えたシリンダハウジング（１０）と、キャビティ内に回転可能に収容される略円柱状のシリンダコア（２０）とを備える。テールピース（５０）は、施錠機構と協働するように構成される。アダプタ（４０）は、シリンダハウジングのキャビティ内に回転可能に収容されるとともに、軸方向においてテールピースに連結される。アダプタ及びシリンダコアを相互連結する第１手段は、施錠作動モードにおいて、コア及びアダプタの相互の自由独立回転を許容するとともに、非施錠作動モードにおいて、相互回転を阻止するように構成される。アダプタ及びコアを相互連結する第２手段は、第１手段の両作動モードにおいて、シリンダコアを、シリンダハウジングに対して軸方向に移動しないように固定する。
2010519440.tif 000002
【特許請求の範囲】
【請求項１】
施錠装置であって、
キャビティ（１２）を備えたシリンダハウジング（１０）と、
前記シリンダハウジングのキャビティ内に回転可能に収容された、略円柱状のシリンダコア（２０）と、
施錠機構と協働するように構成されるテールピース（５０）と、
前記シリンダハウジングのキャビティ内に回転可能に収容され、かつ、軸方向において前記テールピースに連結されるアダプタ（４０）と
を含み、
前記アダプタ及び前記シリンダコアを相互連結する第１手段と、該第１手段は、施錠作動モードにおいて、シリンダコア及びアダプタの相互の自由独立回転を許容するとともに、非施錠作動モードにおいて、相互回転を阻止するように構成されることと、
前記アダプタ及び前記シリンダコアを相互連結する第２手段と、該第２手段は、前記第１手段の施錠作動モード及び非施錠作動モードの両方において、シリンダコアを、前記シリンダハウジングに対して軸方向に移動しないように固定することと
をさらに含むことを特徴とする施錠装置。
【請求項２】
前記アダプタ（４０）及びシリンダコア（２０）を相互連結する第２手段は、シリンダコアに対向するアダプタの第１端部（４４）付近においてアダプタに周方向溝（４２）を含むとともに、アダプタに対向するシリンダコアの端部（２４）に凹部（２２）を含むことを特徴とする、請求項１に記載の施錠装置。
【請求項３】
前記第２手段は、前記シリンダコア（１０）の可動相互施錠手段と協働するために、前記アダプタ（４０）に配置される複数のフランジ（４６）を含むことを特徴とする、請求項１又は２に記載の施錠装置。
【請求項４】
前記複数のフランジ（４６）は放射方向に離間されることを特徴とする、請求項３に記載の施錠装置。
【請求項５】
前記シリンダコア（１０）の可動相互施錠手段は、軸方向に移動可能であることを特徴とする、請求項３又は４に記載の施錠装置。
【請求項６】
前記テールピース（５０）は、前記シリンダハウジング（１０）のキャビティ（１２）の直径よりも大きな直径を有することを特徴とする、請求項１乃至５のいずれか一項に記載の施錠装置。
【請求項７】
前記シリンダコア（２０）の外端部に固定するように取り付けられるノブ（３０）を含むことを特徴とする、請求項１乃至６のいずれか一項に記載の施錠装置。
【請求項８】
電子認証手段を含むことを特徴とする、請求項１乃至７のいずれか一項に記載の施錠装置。
【請求項９】
前記電子認証手段が前記ノブ（３０）に設けられることを特徴とする、請求項１乃至８のいずれか一項に記載の施錠装置。
【請求項１０】
前記テールピース（５０）が独立部品として設けられることを特徴とする、請求項１乃至９のいずれか一項に記載の施錠装置。
【請求項１１】
前記テールピース（５０）は、前記アダプタと一体的に設けられることを特徴とする、請求項１乃至９のいずれか一項に記載の施錠装置。
【発明の詳細な説明】
【技術分野】
【０００１】
本発明は、施錠装置に関し、より詳細には、シリンダコア及びテールピース間の自由回転機能を有するモジュール式施錠シリンダに関する。
【背景技術】
【０００２】
施錠シリンダは、シリンダコアからの回転運動を、例えば錠箱の施錠機構を作動させるために設けられたテールピースに伝えるように構成される。シリンダコアは、例えば鍵又はノブによって回転させられ得る。多くの施錠シリンダにおいては、許可された使用者のみが施錠シリンダを作動させることができるように、阻止機構が設けられる。この阻止機構は、例えば間違った鍵が施錠シリンダに挿入された場合に、シリンダコアの回転を阻止する。
【０００３】
シリンダコアの回転を阻止する阻止機構の代替物として、シリンダコアとテールピースとの結合又は連結を解除する装置を設けることができる。この場合、間違った鍵が施錠シリンダに挿入されたときに、シリンダコアは、テールピースの回転を生じさせることなく、自由に回転させられ得る。これにより、施錠装置が、スパナ又はバールによって容易にこじ開けられることを阻止する。
【０００４】
鍵業界は費用削減の要求に直面しており、またこの要求を満たす一つの方法として、異なる施錠構成に同じ種類の構成部品を使用することが挙げられる。しかしこれは、施錠装置を構成する様々な部品の設計において、モジュール性を必要とする。これは特に、電子式又は電気機械式施錠装置についていえることであり、電子部品の費用は、大規模生産により劇的に減少する。
【発明の概要】
【発明が解決しようとする課題】
【０００５】
本発明の目的は、当初に言及された種類の施錠装置において、単純な構成を有するとともに、異なる構成のシリンダハウジング及びテールピースに対して容易に適応する施錠装置を提供することにある。
【課題を解決するための手段】
【０００６】
本発明は、施錠シリンダのシリンダコア及びテールピースが、アダプタによって相互連結され得ることの実現化に基づいており、シリンダコア及びアダプタの間には、自由回転機能が存在する。
【０００７】
本発明によれば、施錠装置が提供され、該施錠装置は、キャビティを備えたシリンダハウジングと、シリンダハウジングのキャビティ内に回転可能に収容される、略円柱状のシリンダコアと、施錠機構と協働するように構成されるテールピースと、シリンダハウジングのキャビティ内に回転可能に収容され、かつ軸方向においてテールピースに連結されるアダプタとを含む。施錠装置はまた、アダプタ及びシリンダコアを相互連結する第１手段と、第１手段は、施錠作動モードにおいて、シリンダコア及びアダプタの相互の自由独立回転を許容するとともに、非施錠作動モードにおいて、相互回転を阻止するように構成されることと、アダプタ及びシリンダコアを相互連結する第２手段と、第２手段は、第１手段の施錠作動モード及び非施錠作動モードの両方において、シリンダコアがシリンダハウジングに対して軸方向に移動しないように固定することとを含む。
【０００８】
したがって、単純な構成を有するにも拘わらず、様々な構成に容易に適応する施錠装置が提供される。第１相互連結手段は、施錠モードにおいて、シリンダコア及びアダプタの相互の自由独立回転を許容するため、コア及びアダプタはともに、第１手段の作動モードが施錠から非施錠へ変更されたときに、任意の回転配向を有することができる。次に、アダプタの自由回転は、第１相互連結手段が係合する回転位置へアダプタが回転することを許容する。第２相互連結手段は、両作動モードにおいて、シリンダハウジングに対するコアの軸方向の移動を阻止するため、コアのハウジングからの抜けが確実に阻止される。
【０００９】
好適な実施形態において、アダプタ及びシリンダコアを相互連結する第２手段は、シリンダコアに対向するアダプタの第１端部付近においてアダプタに円周方向溝を含むとともに、アダプタに対向するシリンダコアの端部に凹部を含む。この構成は、供給が容易であるとともに、簡易な製造を可能にする。
【００１０】
別の好適な実施形態において、テールピースは、シリンダハウジングのキャビティの直径よりも大きな直径を有するため、アダプタ及びシリンダコアの軸方向の固定を可能にする。
【００１１】
更なる好適な実施形態は、従属請求項によって定義される。
本発明を、一例として、付随する図面を参照して以下に説明する。
【図面の簡単な説明】
【００１２】
【図１】本発明に係る施錠装置の全体図。
【図２】図１の施錠装置の分解斜視図。
【図３】図１の施錠装置の分解斜視図。
【図４】施錠装置に含まれるアダプタの拡大図。
【図５】連結されていない状態の図４のアダプタ及びシリンダコアを示す平面図。
【図６】相互連結された状態の図４のアダプタ及びシリンダコアを示す平面図。
【発明を実施するための形態】
【００１３】
以下に、本発明の好適な実施形態の詳細な説明が示される。本説明において、上側及び下側といった方向の言及されるが、これらの言及は、非限定的であって、図面に示される方向について言及しているにすぎないことを理解されたい。
【００１４】
全体が符号１にて示される施錠シリンダはシリンダハウジング１０を含み、シリンダハウジング１０は、シリンダハウジングの全長にわたって、シリンダハウジング内部において軸方向に延在する円形キャビティ、即ちボア１２を有する。長手方向軸を有する円柱状シリンダコア２０は、以下に説明されるように、キャビティ内に回転可能に配置される。ノブ３０は、シリンダコア２０の外端部に固定して取り付けられるとともに、電子認証手段、例えばマイクロプロセッサ、制御電子回路、アンテナ等（図示せず）を含む。
【００１５】
アダプタ４０は、シリンダハウジング１０のキャビティ１２に挿入するために配置される。したがって、アダプタは、シリンダハウジングのキャビティ内での回転を許容する、円柱形の全体形状を有する。周方向溝、即ち胴部４２は、アダプタのシリンダコア２０に対向する第１端部４４付近において、該アダプタに設けられる。このアダプタの溝及び端部は、アダプタ４０に対向するシリンダコア２０の端部２４に設けられた凹部２２と協働するように構成される。即ち、アダプタ及びシリンダコアの端部同士は、相互連結されたときに軸方向に連結されるように、軸方向において継手状に相互作用する。
【００１６】
アダプタ４０には、放射方向に離間された複数のフランジ４６が設けられる（図４参照）。これらのフランジは、シリンダコア２０の可動相互施錠手段と協働するように構成される。相互施錠手段の軸方向延出位置において、即ち、相互施錠手段が軸方向においてフランジ４６と重なるように延出したときに、アダプタ及びシリンダコアの間の相互回転が阻止される。相互施錠手段の軸方向引き込み位置においては、アダプタ及びシリンダコアの間の相互自由回転が許容される。
【００１７】
アダプタ及びシリンダコアの端部同士の係合は、アダプタ及びシリンダコアの間の相互の軸方向移動を阻止する一方、自由回転作動モードにおいて、それらの間の相互回転移動は許容する。したがって、施錠装置の組立ての際に、アダプタ４０をシリンダハウジング１０のキャビティ１２に挿入する前に、アダプタの端部４４が、シリンダコアの凹部２２に挿入される。このようにして、アダプタ及びシリンダコアは、シリンダハウジングへの挿入前に、単一のユニットを形成する。
【００１８】
テールピース５０は、２個のねじ５２によって、アダプタの第１端部とは反対側の端面に取り付けられる。このテールピースは、シリンダハウジング１０のキャビティ１２の直径よりも大きな、好適には僅かにのみ大きな直径を有する。これは、アダプタ４０及びシリンダコア２０が相互連結されるとともに、テールピース５０がアダプタに取り付けられたときに、これらの部品を含む装置が、シリンダハウジング１０内において、軸方向に移動しないように固定されることを意味する。
【００１９】
一体型連結器５４は、テールピース５０の端面に配置されており、例えば鍵箱に設けられる施錠機構と協働するように構成される。
シリンダコア及びテールピースの間にアダプタを設けることにより、多くの種類のシリンダハウジングにおいて、そして多様なテールピースとともに、一種類のシリンダコアを使用することが可能になる。これは更に、アダプタ自体の費用が比較的安いため、全体の製造費用を減少させる。
【００２０】
施錠装置１の作動について、以下に説明する。第１作動モードにおいて、シリンダコア２０に設けられた相互施錠手段は引き込まれ、結果的に、自由回転作動となる。これは、ノブ３０が回転させられたときに、シリンダコア２０はノブ３０とともに回転するが、アダプタ及びテールピースはノブとともに回転しないことを意味し、結果的に、施錠装置が施錠状態となる。相互施錠手段が、例えば遠隔操作によって制御される電子装置によって、延出位置へ移動させられると、アダプタ及びテールピースがノブとともに回転し、その結果、施錠装置が非施錠状態となる。
【００２１】
本発明に係る施錠装置の好適な実施形態について説明してきたが、当業者であれば、これは、添付の特許請求の範囲の範囲内において変更可能であることが理解できるであろう。このため、ノブ作動式の施錠シリンダについて図示及び説明してきたが、本発明の思想は、鍵作動式等、他の種類の施錠シリンダにも適用可能であることは理解されよう。
【００２２】
独立したテールピース５０について説明されているが、テールピース５０はアダプタ４０と一体型のものであってもよい。この場合、アダプタは、後側から挿入されなければならず、またノブ３０は、その挿入後に、シリンダコア２０に取り付けられなければならない。
【００２３】
シリンダハウジングのキャビティ１２よりも大きな直径を有するテールピースによる軸方向の固定に代えて、アダプタの円周方向溝において、リング等がアダプタに取り付けられてもよく、或いは、ピンがアダプタの円筒面の穴に設けられてもよい。
【図１】
2010519440.tif 000003
【図２】
2010519440.tif 000004
【図３】
2010519440.tif 000005
【図４】
2010519440.tif 000006
【図５】
2010519440.tif 000007
【図６】
2010519440.tif 000008
【国際調査報告】
2010519440.tif 000009
2010519440.tif 000010
2010519440.tif 000011